(57)【要約】【課題】外部から衝撃が加えられたとき、リフトタブが磁気ディスクとランプの隙間に挟まるという現象を回避することができる磁気ディスク装置を提供する。【解決手段】磁気ディスク装置は、情報を記録する磁気ディスクと、磁気ディスクに対して情報を記録または再生する磁気ヘッドと、磁気ヘッドを支持し、先端にリフトタブを備えた磁気ヘッド支持部と、磁気ディスクが停止しているとき、リフトタブが乗り上げることによって磁気ヘッド支持部を保持するランプと、を有する。更に、外部からの衝撃によって、磁気ディスクが変位し、且つ、磁気ヘッド支持部が枢動したとき、磁気ヘッド支持部の枢動を制限するストッパが設けられている。【選択図】図１
2011100524.tif 000002
【特許請求の範囲】
【請求項１】
情報を記録する少なくとも１個の磁気ディスクと、該磁気ディスクに対して情報を記録または再生する磁気ヘッドと、該磁気ヘッドを支持する磁気ヘッド支持部と、前記磁気ディスクが停止しているとき、前記磁気ヘッド支持部を退避させるためのランプと、を有する磁気ディスク装置において、
前記磁気ヘッド支持部は、アームと、該アームによって支持されたマウントと、該マウントに接続されたサスペンションと、を有し、該サスペンションの先端にはリフトタブが設けられ、前記サスペンションには、前記磁気ヘッドを有するスライダが装着されており、外部からの衝撃によって、前記磁気ディスクが変位し、且つ、前記磁気ヘッド支持部が枢動したとき、該磁気ヘッド支持部の枢動を制限するストッパが設けられ、
前記マウントと前記ストッパの隙間ｐは前記磁気ディスクと前記ランプの隙間Ａと前記磁気ディスクと前記リフトタブの隙間Ｂの差Δｔ＝Ｂ−Ａより小さく、ｐ＜Δｔであることを特徴とする磁気ディスク装置。
【請求項２】
請求項１記載の磁気ディスク装置において、
前記マウントと前記ストッパの隙間ｐは前記磁気ディスクと前記ランプの隙間Ａと前記磁気ディスクと前記リフトタブの隙間Ｂの差Δｔ＝Ｂ−Ａの１／４より大きく、Δｔ／４＜ｐであることを特徴とする磁気ディスク装置。
【請求項３】
請求項１記載の磁気ディスク装置において、
前記ストッパは、筐体とカバーの少なくとも一方に設けられていることを特徴とする磁気ディスク装置。
【請求項４】
請求項１記載の磁気ディスク装置において、
前記磁気ヘッド支持部は、前記磁気ディスクの両面の各々に対して設けられ、前記ランプは前記磁気ヘッド支持部のリフトタブの各々に対して設けられていることを特徴とする磁気ディスク装置。
【請求項５】
請求項１記載の磁気ディスク装置において、
複数の磁気ディスクが設けられ、前記磁気ヘッド支持部は、前記複数の磁気ディスクの各々の両面の各々に対して設けられ、前記ランプは前記磁気ヘッド支持部のリフトタブの各々に対して設けられていることを特徴とする磁気ディスク装置。
【請求項６】
請求項５記載の磁気ディスク装置において、
前記ストッパは、前記ランプを支持するランプ本体より延びたストッパ支持部によって支持されており、前記ストッパは、隣接する２つの前記磁気ヘッド支持部の間に挟まれて配置されていることを特徴とする磁気ディスク装置。
【請求項７】
請求項６記載の磁気ディスク装置において、
前記ストッパ支持部の厚さは前記ストッパの厚さより小さいことを特徴とする磁気ディスク装置。
【請求項８】
情報を記録する磁気ディスクと、該磁気ディスクに対して情報を記録または再生する磁気ヘッドと、該磁気ヘッドを支持する磁気ヘッド支持部と、前記磁気ディスクが停止しているとき、前記磁気ヘッド支持部を退避させるために前記磁気ヘッド支持部の先端部によって乗り上げられるランプと、を有する磁気ディスク装置において、
外部からの衝撃によって、前記磁気ディスクが変位し、且つ、前記磁気ヘッド支持部が枢動したとき、該磁気ヘッド支持部の枢動を制限するストッパが設けられ、
前記ストッパは、前記磁気ヘッド支持部のうち外部からの衝撃に起因して生じる変位が最も大きい部位に対応して設けられていることを特徴とする磁気ディスク装置。
【請求項９】
請求項８記載の磁気ディスク装置において、
前記部位と前記ストッパの隙間ｐは前記磁気ディスクと前記ランプの隙間Ａと前記磁気ディスクと前記磁気ヘッド支持部の先端部の隙間Ｂの差Δｔ＝Ｂ−Ａより小さく、ｐ＜Δｔであることを特徴とする磁気ディスク装置。
【請求項１０】
請求項８記載の磁気ディスク装置において、
前記部位と前記ストッパの隙間ｐは前記磁気ディスクと前記ランプの隙間Ａと前記磁気ディスクと前記磁気ヘッド支持部の先端部の隙間Ｂの差Δｔ＝Ｂ−Ａより小さく、ｐ＜Δｔであることを特徴とする磁気ディスク装置。
【請求項１１】
情報を記録する磁気ディスクと、該磁気ディスクに対して情報を記録または再生する磁気ヘッドと、該磁気ヘッドを支持する磁気ヘッド支持部と、前記磁気ディスクが停止しているとき、前記磁気ヘッド支持部を退避させるために前記磁気ヘッド支持部の先端部によって乗り上げられるランプと、を有する磁気ディスク装置において、
外部からの衝撃によって、前記磁気ディスクが変位し、且つ、前記磁気ヘッド支持部が枢動したとき、該磁気ヘッド支持部の枢動を制限するストッパが設けられていることを特徴とする磁気ディスク装置。
【請求項１２】
請求項１１記載の磁気ディスク装置において、
前記ストッパは、外部からの衝撃によって、前記磁気ディスクが変位し、且つ、前記磁気ヘッド支持部が枢動したとき、該磁気ヘッド支持部の先端部が前記ランプと前記磁気ディスクの間に挟まる前に、前記磁気ヘッド支持部の枢動が停止するように、設けられていることを特徴とする磁気ディスク装置。
【請求項１３】
請求項１１記載の磁気ディスク装置において、
前記ストッパは、前記磁気ヘッド支持部のうち外部からの衝撃に起因した変位が最も大きい部位に対応して設けられていることを特徴とする磁気ディスク装置。
【請求項１４】
請求項１３記載の磁気ディスク装置において、
前記部位と前記ストッパの隙間ｐは前記磁気ディスクと前記ランプの隙間Ａと前記磁気ディスクと前記磁気ヘッド支持部の先端部の隙間Ｂの差Δｔ＝Ｂ−Ａより小さく、ｐ＜Δｔであることを特徴とする磁気ディスク装置。
【請求項１５】
請求項１３記載の磁気ディスク装置において、
前記部位と前記ストッパの隙間ｐは前記磁気ディスクと前記ランプの隙間Ａと前記磁気ディスクと前記磁気ヘッド支持部の先端部の隙間Ｂの差Δｔ＝Ｂ−Ａの１／４より大きく、Δｔ／４＜ｐであることを特徴とする磁気ディスク装置。
【請求項１６】
請求項１１記載の磁気ディスク装置において、
前記ストッパは、筐体とカバーの少なくとも一方に設けられていることを特徴とする磁気ディスク装置。
【請求項１７】
請求項１１記載の磁気ディスク装置において、
複数の磁気ディスクが設けられ、前記磁気ヘッド支持部は、前記複数の磁気ディスクの各々の両面の各々に対して設けられ、前記ランプは前記磁気ヘッド支持部のリフトタブの各々に対して設けられ、
前記ストッパは、前記ランプを支持するランプ本体より延びたストッパ支持部によって支持されており、前記ストッパは、隣接する２つの前記磁気ヘッド支持部の間に挟まれて配置されていることを特徴とする磁気ディスク装置。
【請求項１８】
請求項１７記載の磁気ディスク装置において、
前記ストッパ支持部の厚さは前記ストッパの厚さより小さいことを特徴とする磁気ディスク装置。
【請求項１９】
請求項１１記載の磁気ディスク装置において、
前記ストッパは、衝撃吸収材によって形成されていることを特徴とする磁気ディスク装置。
【発明の詳細な説明】
【技術分野】
【０００１】
本発明は磁気ディスク装置に関し、詳細には磁気ディスク装置の衝撃に対する信頼性の向上に関わるものである。
【背景技術】
【０００２】
磁気ディスク装置は、情報を記録する磁気ディスクと、磁気ディスクに対して情報を記録または再生する磁気ヘッドと、磁気ヘッドを支持する磁気ヘッド支持部と、磁気ヘッド支持部を枢動させるアクチュエータを有する。磁気ディスク装置は、更に、磁気ヘッド支持部を退避させるためのランプを有する。一方、磁気ヘッド支持部の先端には、リフトタブが設けられている。磁気ディスクが停止しているとき、リフトタブがランプの上に乗り上げることによって、磁気ヘッド支持部が保持される。
【０００３】
磁気ディスク装置には、外部から衝撃に対して磁気ディスクの損傷を防止するための機構が設けられている。たとえば、特開２００２−１７４０７６号公報には、外部からの衝撃に起因して、磁気ディスクが変位することを制限するためのストッパを設けることが記載されている。
【先行技術文献】
【特許文献】
【０００４】
【特許文献１】特開２００２−１７４０７６号公報
【発明の概要】
【発明が解決しようとする課題】
【０００５】
磁気ディスク装置に外部から衝撃が加えられると、磁気ディスクが変位する。このとき、衝撃に起因して、磁気ヘッド支持部が枢動することがある。磁気ディスクの変位が大きいと、リフトタブが磁気ディスクとランプの隙間に挟まるという現象が発生することがある。
【０００６】
本発明の目的は、外部から衝撃が加えられたとき、リフトタブが磁気ディスクとランプの隙間に挟まるという現象を回避することができる磁気ディスク装置を提供することにある。
【課題を解決するための手段】
【０００７】
本発明によると、磁気ディスク装置は、情報を記録する磁気ディスクと、磁気ディスクに対して情報を記録または再生する磁気ヘッドと、磁気ヘッドを支持し、先端にリフトタブを備えた磁気ヘッド支持部と、磁気ディスクが停止しているとき、リフトタブが乗り上げることによって磁気ヘッド支持部を保持するランプと、を有する。磁気ディスク装置には、外部からの衝撃によって、磁気ディスクが変位し、且つ、磁気ヘッド支持部が枢動したとき、磁気ヘッド支持部の枢動を制限するストッパが設けられている。
【発明の効果】
【０００８】
本発明によれば、磁気ディスク装置において、外部から衝撃が加えられたとき、リフトタブが磁気ディスクとランプの隙間に挟まるという現象を回避することができる。
【図面の簡単な説明】
【０００９】
【図１】本発明の磁気ディスク装置の第１の例を示す図である。
【図２Ａ】本発明の磁気ディスク装置の第１の例のランプ及びストッパ付近の平面構成を示す図である。
【図２Ｂ】本発明の磁気ディスク装置の第１の例のランプ及びストッパ付近の断面構成を示す図である。
【図３Ａ】本発明の磁気ディスク装置の第１の例のランプ及びストッパ付近の断面構成の詳細を示す図である。
【図３Ｂ】本発明の磁気ディスク装置の第１の例において、衝撃の入力に起因して磁気ディスクが変位した状態を説明する図である。
【図３Ｃ】本発明の磁気ディスク装置の第１の例において、ストッパの機能を説明する図である。
【図４】磁気ディスク装置において、衝撃が入力したときの磁気ディスクとマウントの応答と例を示す図である。
【図５】本発明の磁気ディスク装置の第２の例を示す図である。
【図６Ａ】本発明の磁気ディスク装置の第２の例のランプ及びストッパ付近の断面構成の詳細を示す図である。
【図６Ｂ】本発明の磁気ディスク装置の第２の例において、ストッパの機能を説明する図である。
【図７】本発明の磁気ディスク装置の第３の例を示す図である。
【図８】本発明の磁気ディスク装置の第４の例を示す図である。
【図９Ａ】本発明の磁気ディスク装置の第４の例のランプ及びストッパ付近の断面構成の詳細を示す図である。
【図９Ｂ】本発明の磁気ディスク装置の第４の例において、ストッパの機能を説明する図である。
【発明を実施するための形態】
【００１０】
図１は本発明の磁気ディスク装置の第１の例を示す。本例の磁気ディスク装置は、磁気ディスク２０と磁気ヘッド支持部１０を有する。磁気ヘッド支持部１０は、後に詳細に説明する。本例の磁気ディスク装置は、磁気ディスクの非回転時に磁気ヘッドを退避させるためのランプ２４と、磁気ヘッド支持部の枢動を制限するストッパ２５を有する。磁気ディスクの回転中に磁気ディスク装置に外部から衝撃が加わった場合、衝撃に起因して、磁気ヘッド支持部１０が不用意に枢動することがある。ストッパ２５は、このような磁気ヘッド支持部の枢動を制限する。ストッパ２５は、ゴム、樹脂等の衝撃吸収材によって形成されてよく、又は、バネ等の衝撃吸収機構によって構成されてよい。
【００１１】
図２Ａ及び図２Ｂを参照して、本例の磁気ディスク装置の構造を詳細に説明する。図２Ａは、磁気ディスク２０と、その周辺に配置されたランプ２４ａ及びストッパ２５の平面構成を示し、図２Ｂは、その断面構成を示す。
【００１２】
図２Ａに示すように、磁気ディスク装置は、情報を記録する磁気ディスク２０と、磁気ヘッドを支持する磁気ヘッド支持部１０と、磁気ヘッド支持部１０を枢動させるアクチュエータとを有する。アクチュエータは、枢動軸とボイスコイルモータを有する。磁気ヘッド支持部１０は、アーム１３と、アーム１３によって支持されたマウント１４と、マウント１４に接続されたサスペンション１５と、を有する。サスペンション１５の先端には、リフトタブ１６が設けられている。
【００１３】
磁気ディスク２０の外側には、ランプ２４ａとストッパ２５が設けられている。ランプ２４ａはランプ本体２４ｃより突出するように形成されている。ランプ２４ａの半径方向内端２４ｄは、磁気ディスク２０の上側まで突出している。磁気ディスクを停止させる場合は、停止する前に、磁気ヘッドを退避させるアンロード動作を行う。即ち、矢印Ｐにて示すように、アーム１３が枢動し、リフトタブ１６はランプ２４ａの上に乗り上げる。磁気ディスク２０が、矢印Ｒにて示す方向に回転すると、磁気ヘッドを磁気ディスク上に戻すロード動作を行う。即ち、アーム１３が、矢印Ｐと反対方向に枢動し、リフトタブ１６はランプ２４ａより離れる。
【００１４】
図２Ｂに示すように、本例の磁気ディスク装置では、２枚の磁気ディスク２０ａ、２０ｂが装着され、各磁気ディスクの上面と下面に、それぞれ、磁気ヘッド支持部が設けられている。これら磁気ヘッド支持部は全て一体的に枢動する。上側の磁気ディスクの上面に設けられた磁気ヘッド支持部について説明する。上側の磁気ヘッド支持部は、アーム１３ａと、アーム１３ａによって支持されたマウント１４ａと、マウント１４ａに接続されたサスペンション１５ａと、を有する。サスペンション１５ａの先端には、リフトタブ１６ａが設けられている。サスペンション１５ａの下面には、磁気ヘッドを有するスライダ１７ａが搭載されている。サスペンション１５ａは、スライダ１７ａが磁気ディスク２０ａに一定の荷重にて接触するように、スライダに負荷を印加する。他の磁気ヘッド支持部の構成も同様である。
【００１５】
ランプは、各磁気ヘッド支持部に対して設けられている。例えば、リフトタブ１６ａ、１６ｂの各々に対して、ランプ２４ａ、２４ｂが設けられている。ランプ本体２４ｃよりランプ２４ａ、２４ｂが突出するように形成されている。
【００１６】
筐体２８にストッパ２５が設けられている。本例では、ストッパ２５は、一番下側のマウント１４ｂの下側に配置されている。従って、正常な状態では、磁気ヘッド支持部が枢動するとき、マウント１４ｂはストッパ２５に接触しない。
【００１７】
図３Ａ、図３Ｂ及び図３Ｃを参照して、本例の磁気ディスク装置の第１の例のランプとストッパの構造及び機能を詳細に説明する。図３Ａに示すように、本例の磁気ディスク装置では、１枚の磁気ディスク２０が装着され、磁気ディスク２０の上面と下面に、それぞれ、磁気ヘッド支持部が配置されている。各磁気ヘッド支持部は、アーム（図示なし）、マウント１４ａ、１４ｂ、及び、サスペンション１５ａ、１５ｂを有する。サスペンション１５ａ、１５ｂの先端には、それぞれリフトタブ１６ａ、１６ｂが設けられている。各サスペンション１５ａ、１５ｂには磁気ヘッドを有するスライダ１７ａ、１７ｂがそれぞれ搭載されている。
【００１８】
磁気ディスクの停止中に、リフトタブ１６ａ、１６ｂは、それぞれランプ２４ａ、２４ｂの上に乗り上げるように構成されている。従って、磁気ディスク２０とランプ２４ａの間の隙間Ａより、磁気ディスク２０とリフトタブ１６ａの隙間Ｂのほうが大きい。従って、Ａ＜Ｂである。２つの隙間の差をΔｔとすると、Δｔ＝Ｂ−Ａである。Δｔは、磁気ディスク２０に対するランプ２４ａとリフトタブ１６ａの高さの差を表す。
【００１９】
筐体２８にストッパ２５が設けられている。ストッパ２５は、下側のマウント１４ｂの下側に配置されている。静止時における下側のマウント１４ｂとストッパ２５の間の隙間をｐとする。
【００２０】
図３Ｂに示すように、磁気ディスクの回転中に磁気ディスク装置に外部から衝撃が加わった場合を想定する。図３Ｂでは、説明の都合上、ストッパ２５を省略している。衝撃に起因して磁気ディスク２０と磁気ヘッド支持部の少なくとも一方は変形する。磁気ディスク２０の変位量は、周縁が最も大きい。本例では、図示の磁気ディスク２０の周縁が下方に変位したものとする。それによって、磁気ディスク２０の上面と上側のランプ２４ａの隙間Ａ1は、静定時の隙間Ａより大きくなる。Ａ1＞Ａである。一方、サスペンション１５ａに装着されたスライダ１７ａは、磁気ディスク２０の表面より一定高さで浮上しているため、磁気ディスクに対するリフトタブ１６ａの相対的な高さはほとんど変位しない。従って、磁気ディスク２０と上側のリフトタブ１６ａの間の隙間Ｂ1は、静定時の隙間Ｂに略等しい。そのため、磁気ディスクと上側のランプ２４ａの隙間Ａ1が、磁気ディスクと上側のリフトタブ１６ａの隙間Ｂ1より大きくなることがある。即ち、Ａ1＞Ｂ1となる。この場合、もし、衝撃に起因して、磁気ヘッド支持部が不用意に枢動すると、上側のリフトタブ１６ａが磁気ディスクと上側のランプ２４ａの間に挟まれる可能性が生じる。
【００２１】
しかしながら、本例によると図３Ｃに示すように、下側のマウント１４ｂの下側に、ストッパ２５が設けられている。従って、衝撃に起因して、磁気ヘッド支持部が枢動したとき、下側のマウント１４ｂがストッパ２５に当接する。従って、磁気ヘッド支持部は、それ以上枢動することができない。そのため、リフトタブ１６ａが磁気ディスク２０とランプ２４の間に挟まれることはない。
【００２２】
ストッパ２５の位置について説明する。磁気ディスク装置に外部から衝撃が加わった場合、磁気ヘッド支持部のうち、サスペンション１５ａ、１５ｂの根元からマウント１４ａ、１４ｂの周辺までの部分の変位が最も大きい。特に、マウント１４ａ、１４ｂの変位が最も大きい。そのため、本例では、下側のマウント１４ｂの下側にストッパ２５を設けた。また、図２Ａに示すように、リフトタブ１６ａが磁気ディスクとランプ２４ａの間に進入する前に、磁気ヘッド支持部の枢動を停止させることができるように、ストッパ２５を設ける。
【００２３】
図３Ａを参照して、静止時における下側のマウント１４ｂとストッパ２５の間の隙間ｐについて考察する。磁気ディスク２０とランプ２４ａの間の隙間Ａと、磁気ディスク２０とリフトタブ１６ａの隙間Ｂの差Δｔは、Δｔ＝Ｂ−Ａ＞０である。リフトタブ１６ａが磁気ディスク２０とランプ２４ａの間に挟まれることを防止するためには、少なくとも、マウント１４ｂとストッパ２５の間の隙間ｐは、ランプ２４ａとリフトタブ１６ａの高さの差Δｔより小さいことが必要である。即ち、ｐ＜Δｔである。しかしながら、隙間ｐが小さすぎると、小さな衝撃でも、マウント１４ｂがストッパ２５に当接することとなり、好ましくない。即ち、隙間ｐが小さすぎると、磁気ヘッド支持部の正常な枢動機能を妨害することとなる。
【００２４】
磁気ディスクとランプの隙間Ａ1が、磁気ディスクとリフトタブの隙間Ｂ1より大きくなった場合にのみ、磁気ヘッド支持部の枢動を阻止し、それ以外では、磁気ヘッド支持部が正常に枢動し、リフトタブ１６ａがランプ２４ａに乗り上げることが好ましい。そこで、本願の発明者は、以下に説明するように実際に磁気ディスク装置を用いて、磁気ディスクとマウント１４ｂの変位を考察した。
【００２５】
図４は、２.５型磁気ディスク装置を用いて、時間幅１ms、３５００m/s２の衝撃が入力した場合の磁気ディスクの変位（破線）とマウントの変位（実線）の時間応答の例を示す。静定時における磁気ディスクとランプの隙間Ａは０.２ mm、磁気ディスクとリフトタブの隙間Ｂは０.４ mmであった。２つの隙間の差Δｔは、Δｔ＝Ｂ−Ａ＝０.２ mmである。時間t０は、磁気ディスクとランプの隙間Ａが磁気ディスクとリフトタブの隙間Ｂより大きい時間帯を示し、時間t１は、磁気ディスクとランプの隙間Ａが磁気ディスクとリフトタブの隙間Ｂより若干大きい時間帯を示す。磁気ディスクの応答振幅は、最初の時間t０にて最大値である約０.4mmとなり、次の時間t１でも、約０.２mm以上となる。マウントの変位の位相は磁気ディスクの変位の位相より僅かであるがずれている。最初の時間t０では、マウントの変位の最大値は０.１mm、時間t１では、マウントの変位の最大値は０.０６mmである。時間t０とt１の各時間帯のどの時点においても、磁気ディスクの変位とマウントの変位の比は略４対１である。即ち、磁気ディスクの変位は、マウントの変位より大きい。
【００２６】
本例の２.５型磁気ディスク装置では、衝撃が入力すると磁気ディスクが０.２mm以上変位し、磁気ディスクとランプの隙間Ａが０.４mm以上になり、Ａ1＞Ｂ1となる。この場合、リフトタブが磁気ディスクとランプの隙間に挟まれる可能性が生じる。磁気ディスクとランプの隙間Ａ1が、磁気ディスクとリフトタブの隙間Ｂ1より大きくなった場合でも、マウントの変位は磁気ディスク２０の変位の略１/４倍である。例えば、磁気ディスクの変位量が０.２mm以上のとき、マウントの変位量は０.０５mm以上である。従って、磁気ディスクが０.２mm以上変位したとき、マウントがストッパに当接するには、マウントとストッパの間の隙間ｐが０.０５mm以上であればよい。従って、０.０５mm＜ｐである。
【００２７】
以上よりマウントとストッパの隙間ｐが磁気ディスク２０とランプの隙間Ａと磁気ディスク２０とリフトタブの隙間Ｂの差Δｔの１/４倍であれば、磁気ヘッド支持部の正常な枢動機能を妨害を妨害することなく、リフトタブが磁気ディスク２０とランプの間に挟まれることを防止することができる。一方、上述のように、リフトタブが磁気ディスク２０とランプの間に挟まれることを防止するためには、ｐ＜Δｔでなければならない。従って、次の関係が得られる。
【００２８】
（１/４）Δｔ＜ｐ＜Δｔ…式（１）
【００２９】
本例の２.５型磁気ディスク装置では、静止時におけるマウントとストッパの間の隙間ｐは、０.０５mm＜ｐ＜０.２ mmとなる。式（１）の関係は、本発明の磁気ディスク装置の第１の例ばかりでなく、以下に説明する第２、第３及び第４の例についても成り立つ。
【００３０】
本発明によると、マウントとストッパ２５の隙間ｐの上限は磁気ディスク２０とランプの隙間Ａと磁気ディスク２０とリフトタブの隙間Ｂの差Δｔより小さい。即ち、ｐ＜Δｔである。従って、大きな衝撃に起因して磁気ディスクが大きく変位し、且つ、磁気ヘッド支持部が枢動したとき、マウントがストッパに当接し、磁気ヘッド支持部の枢動が阻止される。そのため、リフトタブが磁気ディスクとランプの隙間に入り込むことがない。本発明によると、マウントとストッパ２５の隙間ｐの下限は磁気ディスク２０とランプの隙間Ａと磁気ディスク２０とリフトタブの隙間Ｂの差Δｔの１/４より大きい。即ち、（１/４）Δｔ＜ｐである。従って、衝撃に起因してマウントが変位した場合であっても、その変位が小さいときには、リフトタブがランプを乗り上げる。即ち、磁気ヘッド支持部の正常な枢動機能は妨害されない。これにより、衝撃に対する信頼性の高い磁気ディスク装置が実現できる。
【００３１】
本願明細書では、磁気ヘッド支持部は、アーム１３、マウント１４、及び、サスペンション１５によって構成され、且つ、外部からの衝撃に対してマウント１４の変位が最も大きいと仮定している。しかしながら、磁気ヘッド支持部の構成は様々であり、それを構成する部材の名称も様々である。従って、マウント１４は、磁気ヘッド支持部を構成する部材のうち、外部からの衝撃に対して最も変位が大きい部材の総称である。例えば、マウント１４をベースプレートと称し、サスペンション１５をロードビームと称する場合もある。この場合には、ベースプレートがマウント１４に置き換わる。
【００３２】
図５を参照して本発明の磁気ディスク装置の第２の例について説明する。本例の磁気ディスク装置では、図２Ｂに示す例と同様に、２枚の磁気ディスク２０ａ、２０ｂが装着され、各磁気ディスクの上面と下面に、それぞれ、磁気ヘッド支持部が設けられている。これら磁気ヘッド支持部は全て一体的に枢動する。ここでは、上側の磁気ヘッド支持部について説明する。上側の磁気ヘッド支持部は、アーム１３ａと、アーム１３ａによって支持されたマウント１４ａと、マウント１４ａに接続されたサスペンション１５ａと、を有する。サスペンション１５ａの先端には、リフトタブ１６ａが設けられている。サスペンション１５ａの下面には、磁気ヘッドを有するスライダ１７ａが搭載されている。サスペンション１５ａは、スライダ１７ａが磁気ディスク２０ａに一定の荷重にて接触するように、スライダに負荷を印加する。
【００３３】
リフトタブ１６ａ、１６ｂの各々に対して、ランプ２４ａ、２４ｂが設けられている。
【００３４】
カバー２９にストッパ２５が設けられている。本例では、ストッパ２５は、一番上側のマウント１４ａの上側に配置されている。従って、正常な状態では、一番上側のアーム１３ａが枢動するとき、マウント１４ａはストッパ２５に接触しない。ストッパ２５はカバー２９に一体的に構成されてよい。即ち、ストッパとカバーは一体構造であってよい。但し、ストッパをカバーと別部材として構成し、ストッパをカバーの下面に装着してもよい。
【００３５】
図６Ａ及び図６Ｂを参照して、本発明の磁気ディスク装置の第２の例のランプ２４ａ、２４ｂとストッパ２５の構造及び機能を詳細に説明する。図６Ａに示すように、本例の磁気ディスク装置では、１枚の磁気ディスク２０が装着され、磁気ディスク２０の上面と下面に、それぞれ、磁気ヘッド支持部が配置されている。各磁気ヘッド支持部は、アーム（図示なし）、マウント１４ａ、１４ｂ、及び、サスペンション１５ａ、１５ｂを有する。サスペンション１５ａ、１５ｂの先端には、それぞれリフトタブ１６ａ、１６ｂが設けられている。各サスペンション１５ａ、１５ｂには磁気ヘッドを有するスライダ１７ａ、１７ｂがそれぞれ搭載されている。
【００３６】
磁気ディスクの停止中に、リフトタブ１６ａ、１６ｂは、それぞれランプ２４ａ、２４ｂの上に乗り上げるように構成されている。
【００３７】
カバー２９にストッパ２５が設けられている。ストッパ２５は、上側のマウント１４ａの上側に配置されている。
【００３８】
図６Ｂに示すように、磁気ディスクの回転中に磁気ディスク装置に外部から衝撃が加わった場合を想定する。衝撃に起因して磁気ディスク２０と磁気ヘッド支持部の少なくとも一方は変形する。磁気ディスク２０の変位量は、周縁が最も大きい。本例では、図示の磁気ディスク２０の周縁が上方に変位したものとする。それによって、磁気ディスク２０の下面と下側のランプ２４ｂの隙間は、静定時の隙間より大きくなる。一方、磁気ディスク２０と下側のリフトタブ１６ｂの間の隙間は、静定時の隙間に略等しい。そのため、磁気ディスクと下側のランプ２４ｂの隙間が、磁気ディスクと下側のリフトタブ１６ｂの隙間より大きくなることがある。この場合、もし、衝撃に起因して、磁気ヘッド支持部が不用意に枢動すると、下側のリフトタブ１６ｂが磁気ディスク２０と下側のランプ２４ｂの間に挟まれる可能性が生じる。
【００３９】
しかしながら、本例によるとカバー２９にストッパ２５が設けられている。従って、衝撃に起因して、磁気ヘッド支持部が枢動しても、上側のマウント１４ａがストッパ２５に当接する。従って、磁気ヘッド支持部は、それ以上枢動することができない。そのため、下側のリフトタブ１６ｂが磁気ディスク２０と下側のランプ２４ｂの間に挟まれることはない。
【００４０】
図７を参照して本発明の磁気ディスク装置の第３の例について説明する。本例の磁気ディスク装置では、図５に示す例と同様に、２枚の磁気ディスク２０ａ、２０ｂが装着され、各磁気ディスクの上面と下面に、それぞれ、磁気ヘッド支持部が設けられている。これら磁気ヘッド支持部は全て一体的に枢動する。磁気ヘッド支持部の構造は、既に、図２Ｂ及び図５を参照して説明した。
【００４１】
本例では、カバー２９にストッパ２５ａが設けられ、筐体２８にストッパ２５ｂが設けられている。上側のストッパ２５ａは、一番上側のマウント１４ａの上側に配置されている。下側のストッパ２５ｂは、一番下側のマウント１４ｂの下側に配置されている。従って、正常な状態では、磁気ヘッド支持部が枢動するとき、マウント１４ａ、１４ｂはストッパ２５ａ、２５ｂに、それぞれ接触しない。
【００４２】
磁気ディスクの回転中に磁気ディスク装置に外部から衝撃が加わると、磁気ディスク２０の周縁が変位する。もし、衝撃に起因して、磁気ヘッド支持部が不用意に枢動すると、上側のリフトタブ１６ａが上側の磁気ディスク２０ａと上側のランプ２４ａの間に挟まれる可能性が生じる。又は、下側のリフトタブ１６ｂが下側の磁気ディスク２０ｂと下側のランプ２４ｂの間に挟まれる可能性が生じる。
【００４３】
しかしながら、本例によるとストッパ２５ａ、２５ｂが設けられている。従って、衝撃に起因して、磁気ヘッド支持部が枢動しても、上側のマウント１４ａが上側のストッパ２５ａに当接する。又は、下側のマウント１４ｂが下側のストッパ２５ｂに当接する。従って、磁気ヘッド支持部は、それ以上枢動することができない。そのため、上側のリフトタブ１６ａが上側の磁気ディスク２０ａと上側のランプ２４ａの間に挟まれることはない。また、下側のリフトタブ１６ｂが下側の磁気ディスク２０ｂと下側のランプ２４ｂの間に挟まれることはない。
【００４４】
図８を参照して、本発明の磁気ディスク装置の第４の例について説明する。本例の磁気ディスク装置は、磁気ディスク２０と磁気ヘッド支持部１０を有する。磁気ヘッド支持部１０は、既に詳細に説明した。本例の磁気ディスク装置は、磁気ディスクの非回転時に磁気ヘッドを退避させるためのランプ２４と、磁気ヘッド支持部の枢動を制限するストッパ２５を有する。本例では、ストッパ２５はランプ２４に接続され、又は、支持されるように、形成されている。磁気ディスクの回転中に磁気ディスク装置に外部から衝撃が加わった場合、衝撃に起因して、磁気ヘッド支持部１０が不用意に枢動することがある。ストッパ２５は、このような磁気ヘッド支持部の枢動を制限する。
【００４５】
図９Ａ及び図９Ｂを参照して、本発明の磁気ディスク装置の第４の例のランプ２４ａ、２４ｂとストッパ２５の構造及び機能を詳細に説明する。図９Ａに示すように、本例の磁気ディスク装置では、１枚の磁気ディスク２０が装着され、磁気ディスク２０の上面と下面に、それぞれ、磁気ヘッド支持部が配置されている。各磁気ヘッド支持部は、アーム（図示なし）、マウント１４ａ、１４ｂ、及び、サスペンション１５ａ、１５ｂを有する。サスペンション１５ａ、１５ｂの先端には、それぞれリフトタブ１６ａ、１６ｂが設けられている。各サスペンション１５ａ、１５ｂには磁気ヘッドを有するスライダ１７ａ、１７ｂがそれぞれ搭載されている。
【００４６】
磁気ディスクの停止中に、リフトタブ１６ａ、１６ｂは、それぞれランプ２４ａ、２４ｂの上に乗り上げるように構成されている。
【００４７】
本例では、ランプ本体２４ｃより突出するようストッパ２５が設けられている。ストッパ２５は、ストッパ支持部２５ｃによって支持されている。ストッパ２５は、上側のマウント１４ａと下側のマウント１４ｂの間に配置されている。ストッパ支持部２５ｃの厚さはストッパ２５の厚さに比べて小さい。従って、磁気ヘッド支持部が枢動したとき、ストッパ支持部２５ｃがマウント１４ａ、１４ｂ、サスペンション１５ａ、１５ｂ、又は、スライダ１７ａ、１７ｂに接触することはない。
【００４８】
図９Ｂに示すように、磁気ディスクの回転中に磁気ディスク装置に外部から衝撃が加わった場合を想定する。衝撃に起因して磁気ディスク２０と磁気ヘッド支持部の少なくとも一方は変形する。磁気ディスク２０の変位量は、周縁が最も大きい。本例では、図示の磁気ディスク２０の周縁が下方に変位したものとする。それによって、磁気ディスク２０の上面と上側のランプ２４ａの隙間は、静定時の隙間より大きくなる。一方、磁気ディスク２０と上側のリフトタブ１６ａの間の隙間は、静定時の隙間に略等しい。そのため、磁気ディスクと上側のランプ２４ａの隙間が、磁気ディスクと上側のリフトタブ１６ａの隙間より大きくなることがある。この場合、もし、衝撃に起因して、磁気ヘッド支持部が不用意に枢動すると、上側のリフトタブ１６ａが磁気ディスクと上側のランプ２４ｂの間に挟まれる可能性が生じる。
【００４９】
しかしながら、本例によると２つのマウント１４ａ、１４ｂの間にストッパ２５が設けられている。従って、衝撃に起因して、磁気ヘッド支持部が枢動しても、上側のマウント１４ａがストッパ２５に当接する。従って、磁気ヘッド支持部は、それ以上枢動することができない。そのため、上側のリフトタブ１６ａが磁気ディスク２０と上側のランプ２４ａの間に挟まれることはない。
【００５０】
図示の磁気ディスク２０の周縁が上方に変位した場合も同様である。この場合には、下側のマウント１４ｂがストッパ２５に当接する。従って、磁気ヘッド支持部は、それ以上枢動することができない。そのため、下側のリフトタブ１６ｂが磁気ディスク２０と上側のランプ２４ｂの間に挟まれることはない。これにより、衝撃に対して信頼性の高い磁気ディスク装置が実現できる。
【００５１】
本発明は上述の例に限定されるものではなく、特許請求の範囲に記載された発明の範囲にて様々な変更が可能であることは当業者に容易に理解されよう。
【符号の説明】
【００５２】
１０・・・磁気ヘッド支持部、１３、１３ａ、１３ｂ・・・アーム、１４、１４ａ、１４ｂ・・・マウント、１５、１５ａ、１５ｂ・・・サスペンション、１６、１６ａ、１６ｂ・・・リフトタブ、１７、１７ａ、１７ｂ・・・スライダ、２０、２０ａ、２０ｂ・・・磁気ディスク、２４、２４ａ、２４ｂ・・・ランプ、２４ｃ・・・ランプ本体、２５、２５ａ、２５ｂ・・・ストッパ、２５ｃ・・・ストッパ支持部、２８・・・筐体、２９・・・カバー、
【図１】
2011100524.tif 000003
【図２Ａ】
2011100524.tif 000004
【図２Ｂ】
2011100524.tif 000005
【図３Ａ】
2011100524.tif 000006
【図３Ｂ】
2011100524.tif 000007
【図３Ｃ】
2011100524.tif 000008
【図４】
2011100524.tif 000009
【図５】
2011100524.tif 000010
【図６Ａ】
2011100524.tif 000011
【図６Ｂ】
2011100524.tif 000012
【図７】
2011100524.tif 000013
【図８】
2011100524.tif 000014
【図９Ａ】
2011100524.tif 000015
【図９Ｂ】
2011100524.tif 000016